(57)【特許請求の範囲】
【請求項１】
所定の開店処理操作に応答して遊技システムの開店処理を行う遊技システム管理装置であって、
前記遊技システムを形成する各装置の動作可能時間帯を特定可能な情報を設定する設定手段と、
所定の開店処理操作を受け付ける操作受付手段と、
前記設定手段により特定された動作可能時間帯内に前記操作受付手段により前記開店処理操作を受け付けた場合には前記開店処理操作に応答する開店処理を実行し、前記設定手段により特定された動作可能時間帯以外に前記操作受付手段により前記開店処理操作を受け付けた場合には前記開店処理操作に応答する開店処理を実行しないよう制御する制御手段と
を備えたことを特徴とする遊技システム管理装置。
【請求項２】
前記設定手段により特定された動作可能時間帯の変更に係る履歴情報を記憶する履歴情報記憶手段をさらに備え、
前記制御手段は、
前記設定手段により前記動作可能時間帯を特定可能な情報が変更された場合に、該変更された内容及び該変更を行った操作者に関する情報を含む履歴情報を前記履歴情報記憶手段に格納するよう制御する
ことを特徴とする請求項１に記載の遊技システム管理装置。
【請求項３】
前記設定手段により前記動作可能時間帯を特定可能な情報が変更された場合に、該変更された内容及び該変更を行った操作者に関する情報を前記履歴情報記憶手段に格納する旨を操作者に対して報知する報知手段をさらに備えたことを特徴とする請求項２に記載の遊技システム管理装置。
【請求項４】
前記設定手段による動作可能時間帯を特定可能な情報の設定を行う操作者が遊技店により所定の権限が付与された操作者であるか否かを判定する判定手段をさらに備え、
前記設定手段は、前記判定手段により所定の権限が付与された操作者であると判定された場合に、前記遊技システムを形成する各装置の動作可能時間帯を特定可能な情報を設定する
ことを特徴とする請求項１、２又は３に記載の遊技システム管理装置。
【請求項５】
前記制御手段は、前記設定手段により特定された動作可能時間帯以外に前記操作受付手段により前記開店処理操作を受け付けた場合に、前記遊技システムの一部を形成する計数装置による遊技媒体の計数処理を禁止するよう制御することを特徴とする請求項１〜４のいずれか１つに記載の遊技システム管理装置。
【請求項６】
前記制御手段は、前記設定手段により特定された動作可能時間帯以外に前記操作受付手段により前記開店処理操作を受け付けた場合に、前記遊技システムの一部を形成する景品管理装置による景品交換処理を禁止するよう制御することを特徴とする請求項１〜４のいずれか１つに記載の遊技システム管理装置。
【請求項７】
所定の開店処理操作に応答して遊技システムの開店処理を行う遊技システム管理方法であって、
前記遊技システムを形成する各装置の動作可能時間帯を特定可能な情報を設定する設定工程と、
所定の開店処理操作を受け付ける操作受付工程と、
前記設定工程により特定された動作可能時間帯内に前記操作受付工程により前記開店処理操作を受け付けた場合には前記開店処理操作に応答する開店処理を実行し、前記設定工程により特定された動作可能時間帯以外に前記操作受付工程により前記開店処理操作を受け付けた場合には前記開店処理操作に応答する開店処理を実行しないよう制御する制御工程と
を含んだことを特徴とする遊技システム管理方法。
【請求項８】
所定の開店処理操作に応答して遊技システムの開店処理を行う遊技システム管理装置の遊技システム管理プログラムであって、
前記遊技システムを形成する各装置の動作可能時間帯を特定可能な情報を設定する設定手順と、
所定の開店処理操作を受け付ける操作受付手順と、
前記設定手順により特定された動作可能時間帯内に前記操作受付手順により前記開店処理操作を受け付けた場合には前記開店処理操作に応答する開店処理を実行し、前記設定手順により特定された動作可能時間帯以外に前記操作受付手順により前記開店処理操作を受け付けた場合には前記開店処理操作に応答する開店処理を実行しないよう制御する制御手順と
をコンピュータに実行させることを特徴とする遊技システム管理プログラム。
【発明の詳細な説明】
【技術分野】
【０００１】
本発明は、遊技店の開店処理に関連する不正を効率良く防止することができる遊技システム管理装置、遊技システム管理方法及び遊技システム管理プログラムに関する。
【背景技術】
【０００２】
従来、パチンコ店などの遊技店では、遊技店の営業時間の開始前に開店処理が行われ、営業時間の終了後に閉店処理が行われる。この開店処理とは、遊技店に配設された遊技機、台間ユニット及び計数機等の各機器を動作可能な状態とする処理であり、閉店処理とは、当日の遊技に係わるデータを集計する処理である。
【０００３】
例えば、遊技店内に配設された台間カード処理機とカード管理装置とを接続するシステム（例えば、特許文献１参照）を導入している遊技店では、カード管理装置上で開店処理操作がなされると、遊技店に配設された複数の台間カード処理機が動作可能状態となるよう制御され、台間カード処理機とカード管理装置がカードデータを授受できる状態となる。一方、かかるシステムのカード管理装置上で閉店処理操作がなされると、カードデータを集約して第三者管理センターに送信する処理等が行われる。
【０００４】
このように、遊技店では、カード管理装置上での開店処理操作に応答して開店処理が実行され、該カード管理装置上での閉店処理操作に応答して閉店処理が実行されることになる。なお、会員管理システムを導入している遊技店では、上記システムと同様に、会員管理装置上で開店処理操作及び閉店処理操作が行われる。
【先行技術文献】
【特許文献】
【０００５】
【特許文献１】特開２０１０−２６８９９５号公報
【発明の概要】
【発明が解決しようとする課題】
【０００６】
しかしながら、上記従来技術によれば、カード管理装置上で開店処理操作がなされた時点で開店処理が実行されるため、店ぐるみの不正を防止することができないという問題がある。
【０００７】
この点を具体的に説明すると、通常、遊技店では営業時間の数時間前に開店処理操作が行われるのが通常であるが、不正を企図する遊技店の店員が他の店員が所在しない時間帯（例えば、深夜）に開店処理操作を行い、遊技媒体を不正計数して景品交換処理を行ったとしても、その一連の処理が不正行為であるか否かを判断するまでに時間を要する結果となる。
【０００８】
これらのことから、遊技店の開店処理と関連する不正をいかに効率良く防止するかが重要な課題となっている。なお、かかる課題はカードシステムの開店処理と関連する不正のみならず、会員管理システム等の他の遊技システムにおいても同様に生ずる課題である。
【０００９】
本発明は、上記課題を解決するためになされたものであって、遊技店の開店処理に関連する不正を効率良く防止することができる遊技システム管理装置、遊技システム管理方法及び遊技システム管理プログラムを提供することを目的とする。
【課題を解決するための手段】
【００１０】
上述した課題を解決し、目的を達成するため、本発明は、所定の開店処理操作に応答して遊技システムの開店処理を行う遊技システム管理装置であって、前記遊技システムを形成する各装置の動作可能時間帯を特定可能な情報を設定する設定手段と、所定の開店処理操作を受け付ける操作受付手段と、前記設定手段により特定された動作可能時間帯内に前記操作受付手段により前記開店処理操作を受け付けた場合には前記開店処理操作に応答する開店処理を実行し、前記設定手段により特定された動作可能時間帯以外に前記操作受付手段により前記開店処理操作を受け付けた場合には前記開店処理操作に応答する開店処理を実行しないよう制御する制御手段とを備えたことを特徴とする。
【００１１】
また、本発明は、上記発明において、前記設定手段により特定された動作可能時間帯の変更に係る履歴情報を記憶する履歴情報記憶手段をさらに備え、前記制御手段は、前記設定手段により前記動作可能時間帯を特定可能な情報が変更された場合に、該変更された内容及び該変更を行った操作者に関する情報を含む履歴情報を前記履歴情報記憶手段に格納するよう制御することを特徴とする。
【００１２】
また、本発明は、上記発明において、前記設定手段により前記動作可能時間帯を特定可能な情報が変更された場合に、該変更された内容及び該変更を行った操作者に関する情報を前記履歴情報記憶手段に格納する旨を操作者に対して報知する報知手段をさらに備えたことを特徴とする。
【００１３】
また、本発明は、上記発明において、前記設定手段による動作可能時間帯を特定可能な情報の設定を行う操作者が遊技店により所定の権限が付与された操作者であるか否かを判定する判定手段をさらに備え、前記設定手段は、前記判定手段により所定の権限が付与された操作者であると判定された場合に、前記遊技システムを形成する各装置の動作可能時間帯を特定可能な情報を設定することを特徴とする。
【００１４】
また、本発明は、上記発明において、前記制御手段は、前記設定手段により特定された動作可能時間帯以外に前記操作受付手段により前記開店処理操作を受け付けた場合に、前記遊技システムの一部を形成する計数装置による遊技媒体の計数処理を禁止するよう制御することを特徴とする。
【００１５】
また、本発明は、上記発明において、前記制御手段は、前記設定手段により特定された動作可能時間帯以外に前記操作受付手段により前記開店処理操作を受け付けた場合に、前記遊技システムの一部を形成する景品管理装置による景品交換処理を禁止するよう制御することを特徴とする。
【００１６】
また、本発明は、所定の開店処理操作に応答して遊技システムの開店処理を行う遊技システム管理方法であって、前記遊技システムを形成する各装置の動作可能時間帯を特定可能な情報を設定する設定工程と、所定の開店処理操作を受け付ける操作受付工程と、前記設定工程により特定された動作可能時間帯内に前記操作受付工程により前記開店処理操作を受け付けた場合には前記開店処理操作に応答する開店処理を実行し、前記設定工程により特定された動作可能時間帯以外に前記操作受付工程により前記開店処理操作を受け付けた場合には前記開店処理操作に応答する開店処理を実行しないよう制御する制御工程とを含んだことを特徴とする。
【００１７】
また、本発明は、所定の開店処理操作に応答して遊技システムの開店処理を行う遊技システム管理装置の遊技システム管理プログラムであって、前記遊技システムを形成する各装置の動作可能時間帯を特定可能な情報を設定する設定手順と、所定の開店処理操作を受け付ける操作受付手順と、前記設定手順により特定された動作可能時間帯内に前記操作受付手順により前記開店処理操作を受け付けた場合には前記開店処理操作に応答する開店処理を実行し、前記設定手順により特定された動作可能時間帯以外に前記操作受付手順により前記開店処理操作を受け付けた場合には前記開店処理操作に応答する開店処理を実行しないよう制御する制御手順とをコンピュータに実行させることを特徴とする。
【発明の効果】
【００１８】
本発明によれば、遊技システムを形成する各装置の動作可能時間帯を特定可能な情報を設定し、動作可能時間帯内に操作受付手段により開店処理操作を受け付けた場合には開店処理操作に応答する開店処理を実行し、動作可能時間帯以外に操作受付手段により開店処理操作を受け付けた場合には開店処理操作に応答する開店処理を実行しないよう制御するよう構成したので、遊技店の開店処理に関連する不正を効率良く防止することができる。
【図面の簡単な説明】
【００１９】
【図１】図１は、実施例に係る遊技システムの概念を説明するための説明図である。
【図２】図２は、実施例に係る遊技システムのシステム構成を示す図である。
【図３】図３は、図２に示したカード管理装置の内部構成を示すブロック図である。
【図４】図４は、図３に示した動作可能時間帯設定データ及び設定変更履歴データについて説明するための説明図である。
【図５】図５は、遊技システムの導入時の設定において動作可能時間帯を設定する場合の設定画面である。
【図６】図６は、遊技店の管理者が動作可能時間帯を設定する場合の設定画面である。
【図７】図７は、動作可能時間帯以外に開店処理操作を行った場合の操作画面である。（その１）
【図８】図８は、動作可能時間帯以外に開店処理操作を行った場合の操作画面である。（その２）
【図９】図９は、図２に示したカード管理装置による動作可能時間帯の設定処理について説明するフローチャートである。
【図１０】図１０は、図２に示したカード管理装置による開店処理について説明するフローチャートである。
【図１１】図１１は、会員カードの移行時の処理について説明するための説明図である。
【発明を実施するための形態】
【００２０】
以下に、添付図面を参照して、本発明に係る遊技システム管理装置、遊技システム管理方法及び遊技システム管理プログラムの好適な実施例を詳細に説明する。
【００２１】
本明細書中にあって持玉とは、遊技客が遊技において獲得した遊技媒体又は当該遊技媒体数を示すデータであって、その当日中（閉店より前の時間）のみ遊技に再度供することができるものを言う。貯玉とは、遊技客が遊技において獲得した遊技媒体また当該遊技媒体数を示すデータであって、翌日以降（閉店より後の時間）も遊技に再度供することができるものを言う。持玉は、一般遊技客および会員遊技客の双方が使用可能であり、遊技機を移動した場合等に使用する。貯玉は通常、会員遊技客のみが使用可能であり、獲得した遊技媒体を翌日以降の遊技に用いる場合に使用する。貯玉の使用には所定の手数料が課される（手数料は遊技媒体数を減算することで徴収される）ことが通常であるが、時間帯や会員種別によって徴収しないこととしてもよい。
【実施例】
【００２２】
まず、本実施例に係る遊技システムの概念について説明する。図１は、本実施例に係る遊技システムの概念を説明するための説明図である。図１に示す遊技システムは、複数の遊技機２０と、各遊技機２０にそれぞれ対応して設けられた台間カード処理機１０とを有する。複数の遊技機２０は、遊技島を形成し、遊技島毎に島コントローラ３０が設けられている。また、遊技システムは、カード管理装置４０、精算機６０及び景品管理装置７０を有する。
【００２３】
図１に示す遊技システムでは、遊技店の営業時間の開始前に、遊技店に配設された各機器を動作可能な状態とする開店処理が行われる。具体的には、遊技店の店員によりカード管理装置４０が起動され、カード管理装置４０が開店処理操作を受け付けると、カード管理装置４０は、島コントローラ３０、精算機６０及び景品管理装置７０を起動する。島コントローラ３０が台間カード処理機１０及び遊技機２０を起動することで、遊技システム全体の開店処理が完了し、営業が可能な状態となる。
【００２４】
ここで、本実施例に係るカード管理装置４０には、遊技システムを形成する各装置の動作可能時間帯が設定されている。そして、開店処理操作を受け付けた時刻が、動作可能時間帯以外であるならば、開店処理を停止し、島コントローラ３０、精算機６０及び景品管理装置７０の起動を行わない。
【００２５】
このように、動作時間帯に開店処理操作を受け付けた場合にのみ、開店処理を実行し、島コントローラ３０、精算機６０及び景品管理装置７０を起動するよう構成することで、想定外の時間帯に開店処理が行われ、店員によって不正に玉の計数や景品交換が行われることを防止できる。
【００２６】
次に、本実施例に係る遊技システムのシステム構成について説明する。図２は、本実施例に係る遊技システムのシステム構成を示す図である。同図に示すように、この遊技システムは、複数の遊技機２０と、各遊技機２０にそれぞれ対応して設けられた台間カード処理機１０とを有する。複数の遊技機２０は、遊技島を形成し、遊技島毎に島コントローラ３０が設けられている。
【００２７】
また、島コントローラ３０と、ホールコンピュータ９０と、カード管理装置４０と、会員管理装置５０と、精算機６０と、景品管理装置７０とは、通信回線８０を介して接続されている。
【００２８】
遊技機２０は、パチンコ玉を遊技領域に打ち込んで遊技客がパチンコ遊技を行うパチンコ機等の装置である。当該遊技領域には、複数の入賞領域（入賞口）が設けられており、当該入賞領域をパチンコ玉が通過したことに基づいて所定個数のパチンコ玉を賞玉として付与するようになっている。また、遊技領域には、所定個数の始動領域（始動口）が設けられており、当該始動領域をパチンコ玉が通過したことに基づいて所定の抽選を行うこととなっている。当該抽選が大当りとなれば、所定の可動部材等の作動により、前述の入賞領域あるいは他の始動領域へのパチンコ玉の通過確率を向上する等、遊技上有利となる作動が行われる。なお、始動領域と入賞領域を兼ねた領域があってもよい。
【００２９】
上記入賞領域には、当該入賞領域へのパチンコ玉の通過を検出するための所定の検出センサが設けられており、当該センサにより、入賞領域へ打ち込まれたパチンコ玉の通過（入賞）を検出するようになっている。また、遊技機２０は、入賞領域ごとに何個のパチンコ玉を賞玉として付与するかを記憶する賞玉メモリを有している。
【００３０】
したがって、打ち込んだパチンコ玉の特定の入賞領域への通過がセンサにより検出されると、賞玉メモリの記憶内容と、入賞領域を通過したパチンコ玉数から付与すべき賞玉数を決定し、決定した賞玉数が上皿に投出される。
【００３１】
また、遊技機２０は、ホールコンピュータ９０に対して打込信号、賞出信号を出力する。打込信号は、遊技領域に所定数（例えば１０玉）のパチンコ玉を打ち込む度に生成されるパルス信号である。賞出信号は、所定数（例えば１０玉）の賞玉を投出する度に生成されるパルス信号である。
【００３２】
台間カード処理機１０は、遊技機２０の遊技に用いるプリペイド価値及び持玉数が関連付けられたカードを受け付けたならば、該カードに関連付けられたプリペイド価値及び持玉数を記憶する。台間カード処理機１０は、持玉数を上限としてパチンコ玉を遊技機２０の上皿に投出する。また、所定の玉貸し操作がなされたならば、所定数のプリペイド価値を減算しつつ、減算したプリペイド価値分に対応するパチンコ玉を遊技機２０の上皿に投出する。また、受け付けたカードに貯玉数が関連付けられており、所定の再プレイ操作がなされたならば、貯玉数を所定数減算してパチンコ玉を遊技機２０の上皿に投出する。
【００３３】
また、台間カード処理機１０は、紙幣を受け付けたならば、この紙幣分のプリペイド価値を記憶する。また、台間カード処理機１０は、カード排出操作を受け付けたならば、プリペイド価値及び持玉数をカードに関連付けて排出する処理を行う。
【００３４】
また、台間カード処理機１０は、ホールコンピュータ９０に対して貸玉信号を出力する。貸玉信号は、台間カード処理機１０が所定数（例えば１０玉）のパチンコ玉を遊技機２０の上皿に投出する度に生成されるパルス信号である。
【００３５】
島コントローラ３０は、遊技島に設けられた一群の遊技機２０及び台間カード処理機１０を束ねる中継装置である。台間カード処理機１０は、島コントローラ３０を介してホールコンピュータ９０、カード管理装置４０及び会員管理装置５０と通信する。
【００３６】
ホールコンピュータ９０は、遊技機２０より受信した打込信号及び賞出信号並びに台間カード処理機１０より受信した貸玉信号に基づいて、遊技システム全体の管理を行う装置である。
【００３７】
カード管理装置４０は、カードＩＤと持玉数を対応付けたカードデータを管理する装置である。カード管理装置４０は、台間カード処理機１０からカードＩＤ及び持玉数を受信したならばカードデータを更新し、台間カード処理機１０からカードＩＤを受信したならば、該カードＩＤに対応する持玉数を台間カード処理機１０に通知する。また、カード管理装置４０は、景品管理装置７０からカードＩＤを受信したならば、このカードＩＤに対応する持玉数を景品管理装置７０に対して通知する。
【００３８】
さらに、カード管理装置４０は、遊技システム全体の開店処理を実行する遊技システム管理装置として動作する。また、既に説明したように、カード管理装置４０は、動作可能時間帯を設定する機能と、開店処理操作を受け付けた時刻が動作可能時間帯以外である場合に開店処理を制限する機能とを有する。
【００３９】
会員管理装置５０は、遊技店に会員登録された会員の会員データを管理する管理装置である。具体的には、会員に対して発行した会員カードＩＤに対応づけて、貯玉、ポイント、暗証番号及び氏名等を管理する。
【００４０】
精算機６０は、プリペイド価値が対応付けられたカードが挿入されると、該カードに対応するプリペイド価値を取得し、取得したプリペイド価値に相当する現金の払出を行う。
【００４１】
景品管理装置７０は、遊技店内の景品交換カウンタに併設された景品交換用の端末装置であり、貯玉及び持玉の景品交換処理を行う。この景品管理装置７０には、カードからカードＩＤを読み取るリーダライタ並びに特殊景品を払い出す特殊景品払出装置が接続されている。景品管理装置７０は、リーダライタにより読み出したカードＩＤをカード管理装置４０に送信して、該カードの持玉数を要求する。また、貯玉を景品交換する場合は、会員管理装置５０に対して貯玉数を要求する。
【００４２】
次に、図２に示したカード管理装置４０の内部構成について説明する。図３は、図２に示したカード管理装置４０の内部構成を示すブロック図である。図３に示すように、カード管理装置４０は、入力部４１と、表示部４２と、通信部４３と、タイマー４６と、記憶部４４と、制御部４５とを有する。
【００４３】
入力部４１は、キーボードやマウス等である。表示部４２は、液晶パネルやディスプレイ装置等である。通信部４３は、通信回線８０を介して島コントローラ３０、精算機６０、景品管理装置７０及び会員管理装置５０等とデータ通信するためのインタフェース部である。タイマー４６は、制御部４０に対して時刻情報を出力する計時部である。
【００４４】
記憶部４４は、ハードディスク装置や不揮発性メモリ等の記憶デバイスであり、カードデータ４４ａ、動作可能時間帯設定データ４４ｂ及び設定変更履歴データ４４ｃを記憶する。カードデータ４４ａは、カードＩＤに持玉数、プリペイド価値の残高、挿入履歴、排出履歴、使用中か否かを示す使用フラグ等を対応付けたデータである。
【００４５】
動作可能時間帯設定データ４４ｂは、遊技システムの動作可能時間帯を指定するデータである。設定変更履歴データ４４ｃは、動作可能時間帯設定データ４４ｂに対する変更の履歴を示すデータである。
【００４６】
図３に示す制御部４５は、カード管理装置４０を全体制御する制御部であり、カード管理部４５ａ、権限判定部４５ｂ、動作可能時間帯設定部４５ｃ、報知部４５ｄ、開店処理操作受付部４５ｅ及び開店処理制御部４５ｆを有する。実際には、これらの機能部に対応するプログラムを図示しないＲＯＭや不揮発性メモリに記憶しておき、これらのプログラムをＣＰＵ（Central Processing Unit）にロードして実行することにより、カード管理部４５ａ、権限判定部４５ｂ、動作可能時間帯設定部４５ｃ、報知部４５ｄ、開店処理操作受付部４５ｅ及び開店処理制御部４５ｆにそれぞれ対応するプロセスを実行させることになる。
【００４７】
カード管理部４５ａは、カードデータ４４ａの更新を行う処理部である。カード管理部４５ａは、台間カード処理機１０、精算機６０及び景品管理装置７０と通信して、カードＩＤに対応付けられた持玉数、プリペイド価値の残高、挿入履歴、排出履歴、使用中か否かを示す使用フラグ等を更新する。
【００４８】
権限判定部４５ｂは、操作者に対して設定された権限を判定する処理部である。具体的には、権限判定部４５ｂは、表示部４２にログイン画面を表示し、操作者が入力部４１により入力した識別情報（操作者ＩＤ）及びパスワードに基づいて、該操作者が動作可能時間帯設定データ４４ｂを変更する権限を有するか否かを判定する。
【００４９】
動作可能時間帯設定部４５ｃは、操作者により入力された動作可能時間帯を動作可能時間帯設定データ４４ｂとして記憶部４４に記憶させることで、遊技システムの動作可能時間帯を設定する処理部である。なお、動作可能時間帯設定部４５ｃは、権限判定部４５ｂにより操作者が所定の権限を有すると判定された場合にのみ、動作可能時間帯の設定を許可する。
【００５０】
また、動作可能時間帯設定部４５ｃは、動作可能時間帯が変更された場合に、操作者ＩＤと、変更が行われた日時と、変更前後の動作可能時間帯とを対応付けて、設定変更履歴データ４４ｃとして記憶部４４に記憶させる。
【００５１】
報知部４５ｄは、動作可能時間帯設定部４５ｃにより動作可能時間帯が変更された場合に、該変更された内容及び該変更を行った操作者に関する情報を設定変更履歴データ４４ｃとして記憶部４４に記憶させる旨を操作者に対して報知する処理部である。
【００５２】
開店処理操作受付部４５ｅは、操作者による開店処理操作を受け付ける処理部である。開店処理操作は、具体的には、入力部４１による所定のコマンド入力などである。開店処理操作受付部４５ｅが開店処理操作を受け付けると、開店処理制御部４５ｆが開店処理を開始する。
【００５３】
開店処理制御部４５ｆは、遊技システム全体の開店処理を行う処理部である。開店処理制御部４５ｆは、開店処理操作受付部４５ｅが開店処理操作を受け付けると、タイマー４６より時刻情報を取得し、取得した時刻情報が動作可能時間帯設定データ４４ｂに示された動作可能時間帯内であるか否かを判定する。取得した時刻情報が動作可能時間帯以外である場合には、開店処理制御部４５ｆは開店処理を停止する。一方、取得した時刻情報が動作可能時間帯内である場合には、開店処理制御部４５ｆは、島コントローラ３０、精算機６０及び景品管理装置７０を起動し、島コントローラ３０に台間カード処理機１０及び遊技機２０を起動させることで、遊技システム全体の開店処理を行う。
【００５４】
次に、図３に示した動作可能時間帯設定データ４４ｂ及び設定変更履歴データ４４ｃについて説明する。図４は、図３に示した動作可能時間帯設定データ４４ｂ及び設定変更履歴データ４４ｃについて説明するための説明図である。図４に示すように、動作可能時間帯設定データ４４ｂは、動作可能時間帯の開始時間と終了時間とを有する。図４に示す例では、開始時間が「０７：００」であり、終了時間が「０３：００」である。したがって、動作可能時間帯は、「０７：００〜０３：００」となり、「０３：００〜０７：００」の間は開店処理が禁止されることとなる。
【００５５】
図４に示すように、設定変更履歴データ４４ｃは、動作可能時間帯を変更する操作を行った操作者を識別する操作者ＩＤと、設定変更が行われた日時を示す設定日時と、変更前の開始時間及び終了時間と、変更後の開始時間及び終了時間とを有する。
【００５６】
図４に示す例では、設定変更履歴データ４４ｃは、操作者ＩＤが「１００１」である操作者により、２０１１年８月２日の２３時に、動作可能時間帯が「０５：００〜０５：００」から「０７：００〜０３：００」に変更されたことを示している。ここで、開始時間と終了時間とが同一である場合には、任意の時間に開店処理が実行可能であることを示す。
【００５７】
また、図４に示す例では、設定変更履歴データ４４ｃは、操作者ＩＤが「０００１」である操作者により、２０１１年８月２４日の５時に、動作可能時間帯が「０７：００〜０３：００」から「０６：００〜０２：３０」に変更されたことを示している。また、設定変更履歴データ４４ｃは、操作者ＩＤが「０００１」である操作者により、２０１１年８月２４日の２２時３０分に、動作可能時間帯が「０６：００〜０２：３０」から「０７：００〜０３：００」に変更されたことを示している。
【００５８】
次に、動作可能時間帯を設定するための設定画面について説明する。図５は、遊技システムの導入時の設定において動作可能時間帯を設定する場合の設定画面である。図５の設定画面では、操作者ＩＤ「１００１」であるメンテナンス員が操作していることが示されている。
【００５９】
図５に示す設定画面は、コードに関する設定項目として、一般カードの販社を一意に識別する一般カード販社コードと、一般カードの利用における自遊技店の識別コードである一般カード店コードと、会員カードの販社を一意に識別する会員カード販社コードと、会員カードの利用における自遊技店の識別コードである会員カード店コードと、自遊技店の店名とを有する。図５に示す例では、一般販社コードに「１００１」、一般カード店コードに「００１」、会員カード販社コードに「０００１」、会員カード店コードに「１２３」、店名に「パーラーＧ」を設定している。
【００６０】
また、各台計数機の有無の設定として、各台計数機があることを示す「１」が設定され、持玉分割の有無の設定として、持玉分割ありを示す「１」が設定されている。また、各台カメラ・インタフェースの有無の設定として、各台カメラ・インタフェースがないことを示す「０」が設定されている。また、三者間通信の有無の設定として、三者間通信ありを示す「１」が設定され、三者間通信の接続先を示す三者間通信ＵＲＬとして「http://www.xxx.jp」が設定されている。
【００６１】
また、運用に関する設定項目として、動作可能時間帯と、２４時間中に電源のオフを行うか否かと、３６時間運用を行うか否かと、自動開店処理を行うか否かを有する。操作者は、この動作可能時間帯の項目に開始時間と終了時間とを入力することで、動作可能時間帯を設定することができる。図５では、動作可能時間帯は「０７：００〜０３：００」に設定されている。
【００６２】
また、２４時間中に電源のオフを行うか否かについては、営業終了後に電源のオフを行うことを示す「０」、２４時間電源をオフすることなく、メニュー画面からの操作に基づいて電源をオフすることを示す「１」、２４時間の間に再起動を行うことを示す「２」のいずれかを設定可能であり、図５では「１」が設定されている。
【００６３】
また、３６時間運用については、行わないことを示す「０」が設定されている。３６時間運用を行う場合には、この項目を「１」に設定するととともに、３６時間運用を行う特別営業日を指定する。図５では、特別営業日を３日分設定可能な場合を示している。また、自動開店処理については、自動開店処理を行わないことを示す「０」を設定している。
【００６４】
図６は、遊技店の管理者が動作可能時間帯を設定する場合の設定画面である。図６の設定画面では、操作者ＩＤ「０００１」である遊技店管理者が操作していることが示されている。また、図６に示す設定画面は、通常営業時間が「１０：００〜２２：００」であること、動作時間帯が「０７：００〜０３：００」であることを示している。ここで、操作者は、動作可能時間帯を変更することができる。操作者が動作可能時間帯を変更する操作を行うと、図６に示すように「設定変更を行うと、変更の情報が記録されます。変更しますか？」とのメッセージとともに、「[はい]／[いいえ]」との選択肢が表示される。ここで、「はい」を選択すると、動作可能時間帯の変更が行われて、動作可能時間帯設定データ４４ｂ及び設定変更履歴データ４４ｃが更新される。また、「いいえ」を選択すると、動作可能時間帯の変更はキャンセルされる。
【００６５】
また、図６に示す設定画面には、日付と曜日に対応付けて、休日であるか否かと、営業日であるか否かと、営業を行う場合の営業時間と、天気とを入力する項目が表示される。休日であるか否かの項目は、平日であれば「０」、休日であれば「１」を入力する。営業日であるか否かの項目は、営業日であれば「０」、定休日であれば「１」である。営業時間の項目は、通常営業時間とは異なる時間に営業する特別営業日についてはその営業時間を入力できるが、特別営業日でなければ通常営業時間が初期値として表示される。天気の項目は、晴れであれば「０」、曇りであれば「１」、雨であれば「２」、雪であれば「３」、その他であれば「４」である。
【００６６】
次に、動作可能時間帯以外に開店処理操作を行った場合の操作画面について説明する。図７は、動作可能時間帯以外に開店処理操作を行った場合の操作画面である。図７の操作画面では、操作者ＩＤ「０００３」である店員が操作していることが示されている。
【００６７】
図７に示す操作画面は、「開店処理を行います」とのメッセージの表示、開店日時、天気、カード管理の状態、会員管理の状態、処理状況及び処理履歴を表示している。開店日時は、「２０１１／０８／２４（水）」の「１０：００〜２２：００」であり、天気は晴れを示す「０」である。カード管理の状態は、「２０１１／０８／２３」の「２２：１５」に最新の閉店処理が行われて帳票にデータが登録済である。会員管理の状態は、「２０１１／０８／２３」の「２２：４０」に最新の閉店処理が行われて帳票にデータが登録済である。処理状況としては、「カードシステム保持期限外データ削除」、「センター通信  営業状態通知」、「カードシステム日時データ初期化」、「カードシステム日時データ処理」、「センター通信  未送信締上データ送信」、「センター通信  営業状態通知」及び「プロセス起動」が行われたことを示している。
【００６８】
また、図７に示す操作画面は、時刻設定として、現在時刻を変更する操作を受け付けることができる。具体的には、現在の時刻が「０８：００」であり、入力した分数を進めるか又は遅らせることができる。
【００６９】
ここで、図７に示す操作画面では、開店処理操作が行われた時刻が動作可能時間帯以外であるために、「現在の時刻では開店ができません。」とのメッセージが表示され、開店処理が停止している。このように、所定の権限を有する操作者のみが動作可能時間帯を設定できるよう構成した場合には、動作可能時間帯の設定権限を持たない操作者が動作可能時間帯以外に開店処理操作を行うと、開店処理を継続することができず、開店処理を中止することとなる。
【００７０】
一般の店員であっても動作可能時間帯を設定できるよう構成した場合には、図８に示すように動作可能時間帯以外に開店処理操作を行うと、「現在の時刻では開店ができません。」とのメッセージとともに、「開店するには、動作可能時間帯を変更してください。」とのメッセージを表示する。なお、その他の表示及び項目については、図７に示した操作画面と同様のであるので説明を省略する。
【００７１】
次に、図２に示したカード管理装置４０による動作可能時間帯の設定処理について説明する。図９は、図２に示したカード管理装置４０による動作可能時間帯の設定処理について説明するフローチャートである。
【００７２】
図９に示すように、カード管理装置４０の権限判定部４５ｂは、操作者のＩＤ及びパスワード等の入力を受け付けて操作者を認証し、権限の判定を行う（ステップＳ１０１）。判定の結果、操作者に動作可能時間帯を変更する権限がなければ（ステップＳ１０２；Ｎｏ）、動作可能時間帯設定部４５ｃは、動作可能時間帯の変更不可を操作者に対して報知し（ステップＳ１０９）、処理を終了する。
【００７３】
一方、操作者に動作可能時間帯を変更する権限があるならば（ステップＳ１０２；Ｙｅｓ）、動作可能時間帯設定部４５ｃは、操作者による動作可能時間帯の入力を受け付ける。操作者による動作可能時間帯の入力を受け付けたならば（ステップＳ１０３；Ｙｅｓ）、動作可能時間帯設定部４５ｃは、入力された動作可能時間帯に通常の営業時間が含まれるか否かを判定する（ステップＳ１０４）。
【００７４】
入力された動作可能時間帯から通常の営業時間が逸脱するならば（ステップＳ１０４；Ｎｏ）、動作可能時間帯設定部４５ｃは、ステップＳ１０３に移行し、動作可能時間帯の入力を待機する。なお、入力された動作可能時間帯から通常の営業時間が逸脱することを操作者に対して報知してもよい。
【００７５】
入力された動作可能時間帯に通常の営業時間が含まれるならば（ステップＳ１０４；Ｙｅｓ）、報知部４５ｄは、変更された内容及び該変更を行った操作者に関する情報を設定変更履歴データ４４ｃとして記憶部４４に記憶させる旨を操作者に対して報知する（ステップＳ１０５）。
【００７６】
ステップＳ１０５の後、操作者が変更をキャンセルしたならば（ステップＳ１０６；Ｎｏ）、動作可能時間帯設定部４５ｃは、そのまま処理を終了する。一方、ステップＳ１０５の後、操作者が変更を実行したならば（ステップＳ１０６；Ｙｅｓ）、動作可能時間帯設定部４５ｃは、入力された動作可能時間帯により動作可能時間帯設定データ４４ｂを更新する（ステップＳ１０７）。また、動作可能時間帯設定部４５ｃは、操作者のＩＤと、設定日時と、更新前後の動作可能時間帯とを対応付けて設定変更履歴データを更新し（ステップＳ１０８）、設定処理を終了する。
【００７７】
次に、カード管理装置４０による開店処理について説明する。図１０は、図２に示したカード管理装置４０による開店処理について説明するフローチャートである。図１０に示すように、カード管理装置４０の開店処理制御部４５ｆは、操作者による開店処理操作を受け付けたならば（ステップＳ２０１；Ｙｅｓ）、タイマー４６より現在時刻を取得する（ステップＳ２０２）。
【００７８】
開店処理制御部４５ｆは取得した現在時刻と動作可能時間帯設定データ４４ｂに示された動作可能時間帯とを比較し、現在時刻が動作可能時間帯に含まれるか否かを判定する（ステップＳ２０３）。
【００７９】
取得した現在時刻が動作可能時間帯に含まれる場合には（ステップＳ２０３；Ｙｅｓ）。開店処理制御部４５ｆは、カード管理装置４０の開店処理を実行する（ステップＳ２０４）。開店処理制御部４５ｆは、カード管理装置４０の開店処理を実行した後、島コントローラ３０を起動する（ステップＳ２０５）。起動された島コントローラ３０は、台間カード処理機１０及び遊技機２０を起動する。また、開店処理制御部４５ｆは、島コントローラ３０の起動後、精算機６０を起動し（ステップＳ２０６）、景品管理装置７０を起動する（ステップＳ２０７）。以上の処理により、遊技システム全体の開店処理が完了する。
【００８０】
一方、取得した現在時刻が動作可能時間帯以外である場合には（ステップＳ２０３；Ｎｏ）。開店処理制御部４５ｆは、開店処理を停止して（ステップＳ２０８）、動作可能時間帯から外れていることを報知して（ステップＳ２０９）、処理を終了する。
【００８１】
次に、カード管理装置４０によるカードの管理について説明する。開店処理が完了した後、カード管理装置４０は、会員カードや一般カードの管理を行うことが可能となる。例えば、景品管理装置７０にカードが挿入されると、カード管理装置４０は、景品管理装置７０からカードの挿入を通知される。この通知には、カードを識別するカードＩＤが含まれているので、カード管理装置４０は、該カードＩＤの使用フラグを「１」にセットする。使用フラグは、値が「１」であれば、該カードＩＤを有するカードがいずれかの装置で使用中であることを示し、値が「０」であれば、該カードＩＤを有するカードがいずれの装置にも使用されていないことを示す。そして、景品管理装置７０からカードが排出されると、カード管理装置４０は、景品管理装置７０からカードの排出を通知される。この通知には、カードを識別するカードＩＤが含まれているので、カード管理装置４０は、該カードＩＤの使用フラグを「０」にリセットする。
【００８２】
また、景品管理装置７０は、挿入されたカードが会員カードであるならば、会員管理装置５０に対してもカードの挿入や排出を通知する。会員管理装置５０は、カード管理装置４０と同様に、通知に含まれるＩＤに基づいてカードの使用状態を管理する。
【００８３】
ここで、景品管理装置７０に会員カードが挿入された状態でエラーが発生すると、景品管理装置７０は、会員カードを排出し、エラー解除時に景品管理装置７０の内部に収納されていた一般カードを読み込む。この一般カードの読取りにより、景品管理装置７０からカード管理装置４０への通知が行われるので、カード管理装置４０は、エラー発生時に挿入されていた会員カードの使用フラグを「０」にリセットすることができる。
【００８４】
しかしながら、景品管理装置７０が読み込むカードが一般カードであるために、会員管理装置５０に対しては通知が発生せず、会員管理装置５０ではエラー発生時に挿入されていた会員カードの使用フラグは「１」のままとなる。
【００８５】
このように、カード管理装置４０が管理する使用フラグと会員管理装置５０が管理する使用フラグとが不一致となると、景品管理装置７０による会員カードの移行を正常に行うことができない。カード管理装置４０は、移行元の会員カードが使用されていない状態であると正常に認識してプリペイド価値の残高並びに持玉を移行可能であるが、会員管理装置５０は、移行元の会員カードが使用中の状態であると認識してしまい、貯玉の移行を許可しないためである。
【００８６】
そこで、本実施例に係るカード管理装置４０は、景品管理装置７０が会員カードの移行を行う場合に、会員管理装置５０に対してカード排出処理要求を送信し、使用フラグの値を一致させる。
【００８７】
図１１は、会員カードの移行時の処理について説明するための説明図である。図１１に示すように、景品管理装置７０は、会員カードの移行を行う場合には、カード管理装置４０に対してカード移行を通知する（１）。カード管理装置４０は、景品管理装置７０からの通知を受けたならば、会員管理装置５０に対してカード排出処理を要求する（２）。
【００８８】
会員管理装置５０は、移行元の会員カードの使用フラグを「０」に書き換えて（３）、カード管理装置４０に対してカード排出処理の完了を通知する（４）。カード管理装置４０は、会員管理装置５０よりカード排出処理の完了を通知されたならば、移行元の会員カードに対応付けられていたプリペイド価値の残高と持玉とを移行先の会員カードに移行させ（５）、景品管理装置７０に対してカード管理装置４０での移行完了を通知する（６）。
【００８９】
景品管理装置７０が会員管理装置５０に対してカード移行を通知すると（７）、会員管理装置５０は、移行元の会員カードに対応付けられていた貯玉とポイントとを移行先の会員カードに移行させ（８）、景品管理装置７０に対して会員管理装置５０での移行完了を通知する（９）。以上の処理により、カード管理装置４０が管理する使用フラグと会員管理装置５０が管理する使用フラグとを一致させ、会員カードの移行を正常に行うことができる。
【００９０】
図１１に示すカードの移行はあくまでも一例であり、カード情報の移行の順番は適宜変更可能である。景品管理装置から移行通知を受け取ったカード管理装置が会員管理装置に対してカード排出処理要求とともに移行指示し、該移行指示を受けて会員管理装置側で移行処理を行ってもよい。また、景品管理装置からの移行通知はカード管理装置ではなく、会員管理装置で通知するようにしてもよく、両方の管理装置へ同時に通知するようにしてもよい。また、カード管理装置と会員管理装置とが１つの管理装置で構成されている場合であっても、カード管理テーブルが別々に構成されていれば、同様の処理を行うこととなる。
【００９１】
上述してきたように、本実施例では、カード管理装置４０は、遊技システムを形成する各装置の動作可能時間帯を示す動作可能時間帯設定データ４４ｂを設定し、動作可能時間帯内に開店処理操作を受け付けた場合には開店処理操作に応答する開店処理を実行し、動作可能時間帯以外に開店処理操作を受け付けた場合には開店処理操作に応答する開店処理を実行しないよう制御するよう構成したので、遊技店の開店処理に関連する不正を効率良く防止することができる。
【００９２】
また、本実施例では、カード管理装置４０は、動作可能時間帯が変更された場合に、該変更された内容及び該変更を行った操作者に関する情報を含む履歴情報を動作可能時間帯の変更に係る履歴情報を設定変更履歴データ４４ｃとして記憶するので、不正が行われた場合の調査に効率的に行うことができる。
【００９３】
また、本実施例では、カード管理装置４０は、動作可能時間帯が変更された場合に、該変更された内容及び該変更を行った操作者に関する情報を設定変更履歴データ４４ｃとして記憶する旨を操作者に対して報知することで、不正の抑止を行うことができる。
【００９４】
また、本実施例では、カード管理装置４０は、所定の権限が付与された操作者であると判定された場合に、動作可能時間帯を設定可能とすることにより、遊技店の開店処理に関連する不正を効率良く防止することができる。
【００９５】
なお、本実施例では、動作可能時間帯以外に開店処理操作を受け付けた場合に、島コントローラ３０、精算機６０及び景品管理装置７０の起動を停止する構成について説明したが、精算機６０又は景品管理装置７０の起動を選択的に停止するように構成してもよい。また、動作可能時間帯以外に開店処理操作を受け付けた場合に、精算機６０による精算処理を禁止するように構成してもよい。また、動作可能時間帯以外に開店処理操作を受け付けた場合に、景品管理装置７０による景品交換処理や貯玉処理を禁止するように構成してもよい。また、遊技媒体を計数する計数機の起動を停止する構成若しくは計数機による計数処理を禁止する構成であってもよい。
【００９６】
また、本実施例では、遊技システムを形成する各装置の動作可能時間帯を示す動作可能時間帯を設定する構成を例に説明を行ったが、遊技システムの開店処理を禁止する開店禁止時間帯を設定するように構成してもよい。
【００９７】
また、指定された時刻に自動的に開店処理を行う自動開店処理機能を有する遊技システムでは、自動開店処理機能に設定された開店時刻が動作可能時間帯以外であったとしても、自動開店処理機能を優先することが好ましい。
【００９８】
また、本実施例では、カード管理装置４０による開店処理について説明を行ったが、会員管理装置５０や他の装置による開店処理に対しても本発明は適用可能である。
【００９９】
また、図示した各構成は機能概略的なものであり、必ずしも物理的に図示の構成をされていることを要しない。すなわち、各装置の分散・統合の形態は図示のものに限られず、その全部または一部を各種の負荷や使用状況などに応じて、任意の単位で機能的または物理的に分散・統合して構成することができる。
【産業上の利用可能性】
【０１００】
以上のように、本発明に係る遊技システム管理装置、遊技システム管理方法及び遊技システム管理プログラムは、遊技店の開店処理に関連する不正を効率良く防止する場合に適している。
【符号の説明】
【０１０１】
１０    台間カード処理機
２０    遊技機
３０    島コントローラ
４０    カード管理装置
４１    入力部
４２    表示部
４３    通信部
４４    記憶部
４４ａ  カードデータ
４４ｂ  動作可能時間帯設定データ
４４ｃ  設定変更履歴データ
４５    制御部
４５ａ  カード管理部
４５ｂ  権限判定部
４５ｃ  動作可能時間帯設定部
４５ｄ  報知部
４５ｅ  開店処理操作受付部
４５ｆ  開店処理制御部
４６    タイマー
５０    会員管理装置
６０    精算機
７０    景品管理装置
８０    通信回線
９０    ホールコンピュータ
【図１】
0005819169.tif 000002
【図２】
0005819169.tif 000003
【図３】
0005819169.tif 000004
【図４】
0005819169.tif 000005
【図５】
0005819169.tif 000006
【図６】
0005819169.tif 000007
【図７】
0005819169.tif 000008
【図８】
0005819169.tif 000009
【図９】
0005819169.tif 000010
【図１０】
0005819169.tif 000011
【図１１】
0005819169.tif 000012